(57)【要約】【課題】  サムターン回しを防止するサムターン装置の提供。【解決手段】  回転動作によりデッドボルト３を進退させるサムターン軸１２と、サムターン軸１２に着脱可能に係合可能とされ、サムターン軸１２と係合してサムターン軸１２を回転させるツマミ３０と、ツマミ３０を脱落不能に保持する取付座２０と、取付座２０に被せられるカバー４０とを備える。サムターン軸１２は、取付座２０に回転可能に保持されており、ツマミ３０の先端部は、取付座２０に形成された凹部２１に脱落不能に保持されている。ツマミ３０の磁石３７がサムターン軸１２の磁石１６と磁着することでツマミ３０とサムターン軸１２との係合状態が保持可能であると共に、係合が解除され場合、各磁石の吸着・反発力により係合を誘導する。【選択図】      図２
2006046052.tif 000002
【特許請求の範囲】
【請求項１】
回転動作によりデッドボルトを進退させるサムターン軸と、
サムターン軸に係脱可能とされ、サムターン軸と係合してサムターン軸を回転させるツマミと、
サムターン軸の基端部に、基端側へＮ極とＳ極を向けて設けられる磁石と、
ツマミとサムターン軸との係合時には前記磁石のＮ極とＳ極に対応するよう、Ｓ極とＮ極をツマミの先端部に設けられる磁石と
を備えることを特徴とするサムターン装置。
【請求項２】
前記サムターン軸と非係合状態の前記ツマミを脱落不能に保持する取付座を備えた
ことを特徴とする請求項１に記載のサムターン装置。
【請求項３】
回転動作によりデッドボルトを進退させるサムターン軸と、
サムターン軸に係脱可能とされ、サムターン軸と係合してサムターン軸を回転させるツマミとを備え、
前記ツマミは、サムターン軸の軸方向に移動可能であると共に、周方向に回転可能とされ、周方向位置決め手段により、サムターン軸と非係合状態における周方向の位置決めがなされる
ことを特徴とするサムターン装置。
【請求項４】
回転動作によりデッドボルトを進退させるサムターン軸と、
サムターン軸に係脱可能とされ、サムターン軸と係合してサムターン軸を回転させるツマミと、
サムターン軸に設けられる磁石と、
ツマミに設けられる磁石とを備え、
前記ツマミは、サムターン軸の軸方向に移動可能であると共に、周方向に回転可能とされ、前記磁石同士の磁着力によりサムターン軸と非係合状態における周方向の位置決めがなされる
ことを特徴とする請求項３に記載のサムターン装置。
【請求項５】
回転動作によりデッドボルトを進退させるサムターン軸と、
サムターン軸に係脱可能とされ、サムターン軸と係合してサムターン軸を回転させるツマミと、
前記サムターン軸又はツマミの一方に設けられ、他方側へ付勢されて設けられるピン部材と、
前記サムターン軸又はツマミの他方に設けられ、前記ピン部材と係合可能な凹部と
を備え、
前記ツマミは、前記ピン部材が前記凹部と係合することでサムターン軸と非係合状態における周方向の位置決めがなされ、軸方向または周方向の移動によりピン部材が付勢力に対抗して凹部を乗り上げる
ことを特徴とする請求項３に記載のサムターン装置。
【請求項６】
前記ツマミは、サムターン軸との係合を解除される方向に付勢されている
ことを特徴とする請求項３から請求項５までのいずれかに記載のサムターン装置。
【発明の詳細な説明】
【技術分野】
【０００１】
本発明は、不正な解錠を防止できる扉錠のサムターン装置に関するものである。
【背景技術】
【０００２】
一戸建てやマンション等の玄関扉の不正解錠行為の一つとして、いわゆるサムターン回しが知られている。これは、扉と扉枠との隙間（いわゆるチリ）や、扉にあけた穴に針金や紐等を挿入し、この不正解錠手段で室内側に取り付けてあるサムターン装置のツマミを解錠方向に回転させ、デッドボルトを後退して不正解錠するものである。
【発明の開示】
【発明が解決しようとする課題】
【０００３】
本発明は、上記事情に鑑みてなされたものであり、その主たる目的は、いわゆるサムターン回しを有効に防止するサムターン装置を提供することにある。
【課題を解決するための手段】
【０００４】
上記目的を達成するために、本発明のサムターン装置は、回転動作によりデッドボルトを進退させるサムターン軸と、サムターン軸に係脱可能とされ、サムターン軸と係合してサムターン軸を回転させるツマミと、サムターン軸の基端部に、基端側へＮ極とＳ極を向けて設けられる磁石と、ツマミとサムターン軸との係合時には前記磁石のＮ極とＳ極に対応するよう、Ｓ極とＮ極をツマミの先端部に設けられる磁石とを備えることを特徴とする。
【０００５】
また、好ましくは上記構成に加えて、前記サムターン軸と非係合状態の前記ツマミを脱落不能に保持する取付座を備えたことを特徴とするサムターン装置である。
【０００６】
また、上記目的を達成するために、本発明のサムターン装置は、回転動作によりデッドボルトを進退させるサムターン軸と、サムターン軸に係脱可能とされ、サムターン軸と係合してサムターン軸を回転させるツマミとを備え、前記ツマミは、サムターン軸の軸方向に移動可能であると共に、周方向に回転可能とされ、周方向位置決め手段により、サムターン軸と非係合状態における周方向の位置決めがなされることを特徴とする。
【０００７】
好ましくは上記構成に加えて、本発明のサムターン装置は、回転動作によりデッドボルトを進退させるサムターン軸と、サムターン軸に係脱可能とされ、サムターン軸と係合してサムターン軸を回転させるツマミと、サムターン軸に設けられる磁石と、ツマミに設けられる磁石とを備え、前記ツマミは、サムターン軸の軸方向に移動可能であると共に、周方向に回転可能とされ、前記磁石同士の磁着力によりサムターン軸と非係合状態における周方向の位置決めがなされることを特徴とする。
【０００８】
また、好ましくは上記構成に加えて、回転動作によりデッドボルトを進退させるサムターン軸と、サムターン軸に係脱可能とされ、サムターン軸と係合してサムターン軸を回転させるツマミと、前記サムターン軸又はツマミの一方に設けられ、他方側へ付勢されて設けられるピン部材と、前記サムターン軸又はツマミの他方に設けられ、前記ピン部材と係合可能な凹部とを備え、前記ツマミは、前記ピン部材が前記凹部と係合することでサムターン軸と非係合状態における周方向の位置決めがなされ、軸方向または周方向の移動によりピン部材が付勢力に対抗して凹部を乗り上げることを特徴とするサムターン装置である。
【０００９】
また、好ましくは上記構成に加えて、前記ツマミは、サムターン軸との係合を解除される方向に付勢されていることを特徴とするサムターン装置である。
【発明の効果】
【００１０】
本発明のサムターン装置によれば、針金や紐等によって不正解錠しようとしても、ツマミが傾倒したり、または軸方向に移動してツマミとサムターン軸との係合が解除されることで、サムターン軸を解錠方向に回転させることができない。よって、いわゆるサムターン回しを有効に防止することができると共に、請求項１に記載の発明によれば、係合が解除されたツマミが磁石の磁着力によって自動的に元の正常な係合状態に復帰するようにして、通常の操作が著しく便利となるものである。また、請求項４に記載の発明によれば、係合が解除されたツマミは、磁石の磁着力によって自動的にサムターン軸との係合箇所に周方向の位置決めがなされるので、通常の操作が著しく便利となるものである。
【発明を実施するための最良の形態】
【００１１】
以下、本発明のサムターン装置について、実施例に基づき更に詳細に説明する。
【実施例１】
【００１２】
図１は、本発明のサムターン装置を備えた扉錠を示す平面図である。
扉錠１は、従来公知の構造のもので、本発明のサムターン装置が適用されたものを示す。錠ケース２は、扉１００の戸先側端部の上下方向略中央部に取り付けられる。図１に示すように、錠ケース２の戸先側端面に設けられたフロント５を介して取付ネジ６により扉１００の戸先側端部に固定される。
【００１３】
錠ケース２には、扉１００を施解錠するデッドボルト３が設けられている。デッドボルト３は、錠ケース２の戸先側端面から出没可能とされており、そのデッドボルト３を出没させるための出没操作機構が錠ケース２に内蔵されている。
【００１４】
図１に示すように、デッドボルト３の出没、つまり前進又は後退は、錠ケース２に連結するように取り付けられた室内側のサムターン装置１０のツマミ３０の操作、又は室外側のシリンダー錠５０の鍵（不図示）の操作により行なわれる。
なお、図１に示す扉錠１は、本発明のサムターン装置が適用される一例の公知の彫込錠を示すものであるが、本発明のサムターン装置１０は、面付錠や電気錠等その他あらゆる公知の錠に適用可能である。また、扉錠１の施解錠機構は図１の如く、デッドボルト３を出没作動させるものに限られるものではなく、サムターンやシリンダーの操作によって、レバーハンドルやノブなどの回転を制御して、施解錠するようにした公知の扉錠にも適用できる。
【００１５】
図２は、本実施例のサムターン装置１０の縦断側面図である。
図２に示すように、サムターン装置１０は、回転操作によりデッドボルト３を進退させるサムターン軸１２と、このサムターン軸１２を回転自在に軸受する取付座２０と、取付座２０を被覆するカバー４０と、サムターン軸１２の基端部に係脱自在に設けられ、サムターン軸１２を回転させるためのツマミ３０とを主要構成部材として備える。
【００１６】
図３は、サムターン軸１２を示す部品図であり、（ａ）は正面図、（ｂ）は右側面図であり一部を断面にして示している。サムターン軸１２は、丸棒状であり、その基端部には、径方向外側に拡径してフランジ１４が形成されている。
【００１７】
サムターン軸１２の基端部には、後述するツマミ３０の係合部３５と係合可能な被係合部１５が形成されている。本実施例では、フランジ１４の基端面中央に、基端側に開口する凹溝１５が径方向に沿って形成されている。また、図３（ａ）において、凹溝１５の左右両側面中央部は、左右対称に径方向外側へ円弧状に膨出して形成されている。
【００１８】
サムターン軸１２の基端部中央には、軸方向に沿って直方体形状の磁石１６が一つ埋め込まれて固定されており、その磁石１６の基端面１６ａは、凹溝１５の底部に配置されて露出している。この露出している磁石１６の基端面１６ａには、この磁石１６のＮ極とＳ極の両方が表れている。本実施例では、図３（ａ）において、上方にＮ極が、下方にＳ極が配置されるように磁石１６が設けられている。
【００１９】
サムターン軸１２の先端部１３は断面十字状に形成されており、この十字状の先端部１３が、錠ケース２に内蔵された出没操作機構に接続される。従って、サムターン軸１２に連結されるツマミ３０を回すと、サムターン軸１２の先端部１３が出没操作機構を介してデッドボルト３を進退させることができる。
また、サムターン軸１２には、フランジ１４から少し先端側位置に、リング２５がはめ込まれるリング取付溝１７が周方向に形成されている。
【００２０】
サムターン軸１２を回転可能に保持する取付座２０は、先端側に開口した筒形状とされる。取付座２０の基端面中央は、先端側へ筒状に凹んで基端部２０ａ側に開口する凹部２１が形成されている。そして、この筒状凹部２１の底壁２２の中央には、サムターン軸１２が通される穴２２ａが軸方向に沿って形成されている。なお、凹部２１の内径は、サムターン軸１２のフランジ１４の外径に対応している。また、前記穴２２ａは、フランジ１４より小径である。
【００２１】
図４は、ツマミ３０を示す部品図であり、（ａ）は正面図、（ｂ）は右側面図であり断面にして示しており、（ｃ）は背面図である。
サムターン軸１２の基端部に係脱自在に設けられるツマミ３０は、回転操作される際に摘まれる操作部３１と、取付座２０の凹部２１に差し込まれる連結部３３とからなる。なお、操作部３１と連結部３３とは、一体的に連結されている。操作部３１の形状は特に問わないが、図示例では、縦断面が略菱形である。また、操作部３１の先端部中央は、先端側へ短円柱状に突出して形成されている。この短円柱状部３２の直径は、後述するカバー４０の穴４１ａより大径とされる。
【００２２】
操作部３１の先端面中央に、先端側に突出して略丸棒状の連結部３３が一体的に設けられる。本実施例では、操作部３１の先端面中央に連結部３３の基端部が差し込まれ、操作部３１の基端面中央からネジ（不図示）がねじ込まれて連結部３３が操作部３１に固定される。連結部３３の先端には、サムターン軸１２の被係合部１５に係合可能な係合部３５が一体的に設けられており、本実施例では、サムターン軸１２の凹溝１５に係合可能な凸部３５，３５が一体的に設けられている。具体的には、連結部３３の先端側外周部には、その径方向両側に径方向に沿って略矩形板状の一対の凸部３５，３５が径方向外側へ突出して一体形成されている。一対の凸部３５，３５の先端部間の長さは、取付座２０の凹部２１の内径より小さい寸法とされる。なお、本実施例では、図４（ｃ）に示すように、連結部３３からの一対の凸部３５，３５の突出方向と、短円柱状部３２からの操作部３１の延出方向とが一致している。
【００２３】
連結部３３の先端面中央には、直方体形状の磁石３７が一つ設けられており、磁石３７の先端面３７ａは露出している。なお、図示例では、磁石３７の先端面３７ａが連結部３３の先端面より先端側へ若干突出している。
【００２４】
この露出している磁石３７の先端面３７ａには、この磁石３７のＮ極とＳ極の両方が表れている。ツマミ３０の凸部３５がサムターン軸１２の凹溝１５に係合した際に、サムターン軸１２に設けられた磁石１６のＮ極とＳ極に対応するように、図４（ｃ）において、上方にＳ極が、下方にＮ極が配置されるように磁石３７が設けられている。
【００２５】
取付座２０を被覆するカバー４０は、先端側に開口した筒形状とされ、取付座２０にはめ込み可能に取付座２０の外形より一まわり大きく形成されている。
カバー４０の基端面４１の中央には、ツマミ３０の連結部３３が差し込み可能な穴４１ａが軸方向に貫通して形成されている。なお、この穴４１ａの径は、取付座２０の凹部２１の内径より小径であると共に、連結部３３の一対の凸部３５，３５の先端部間距離より小径とされる。
【００２６】
図２に示すように、サムターン軸１２は、その先端部１３が取付座２０の凹部２１からその底壁２２の穴２２ａに差し込まれて、リング取付溝１７にリング２５がはめ込まれ、フランジ１４とリング２５とで凹部２１の底壁２２を挟み込む。これにより、サムターン軸１２は、その軸方向の移動が規制された状態で取付座２０に回転可能に保持される。そして、取付座２０の凹部２１に、ツマミ３０の連結部３３が差し込まれた状態で、取付座２０にカバー４０が被せられる。また、連結部３３の基端部に、操作部３１がはめ込まれて操作部３１の基端面からネジ（不図示）がねじ込まれて、操作部３１と連結部３３とが一体化される。
【００２７】
サムターン軸１２及びツマミ３０が取り付けられた取付座２０は、扉１００の室内側面に取り付けられる。具体的には、図１に示す従来公知例のように、扉１００に収容された錠ケース２を挟んで、扉１００の室外側面にシリンダー錠５０が取り付けられ、室内側面にサムターン装置１０が取り付けられる。そして、室外側面に設けられたシリンダー錠５０から延出する円筒状の取付柱５３，５３に、室内側からサムターン装置１０のカバー４０が被覆された取付座２０を介してネジ４５，４５がねじ込まれ、扉１００の室内側面にサムターン装置１０が固定され、同時に室外側面にシリンダー錠５０が固定される。
なお、取付座２０の扉１００への固定方法は、従来公知の上記例に限られるものではなく、その他の公知の取付方法、例えば扉１００に直接ネジ止めされるもの、あるいは取付ピンを介して錠ケースに取り付けられるものでもよい。
【００２８】
このような構成の本実施例のサムターン装置１０は、ツマミ３０の先端部３０ａに設けられた凸部３５をサムターン軸１２の凹溝１５にはめ込んで係合させた状態において、従来のように、ツマミ３０の操作部３１を施解錠の際に左右いずれかの方向へ９０度回転操作して使用される。ところで、ツマミ３０の先端部には磁石３７が設けられており、サムターン軸１２の凹溝１５にも磁石１６が設けられているので、ツマミ３０の凸部３５がサムターン軸１２の凹溝１５にはめ込まれた際には、ツマミ３０とサムターン軸１２とは磁力により互いに引きつけられ吸着される。これにより、ツマミ３０から手を離してもその係合状態は維持されて、不用意な係合解除が防止されると共に、ツマミ３０の回転操作を容易且つ確実に行なうことができる。なお、ツマミ３０の回転角度は９０°が最も好ましいが、それに限定されるものではなく、９０°以上でも９０°未満であってもよい。
【００２９】
本実施例のサムターン装置１０は、ツマミ３０がサムターン軸１２に磁石３７，１６の磁着力によって係合状態が保持されているので、係合が解除される方向にその磁着力より大きい力が作用すると、ツマミ３０とサムターン軸１２との係合が解除される。従って、室外側から差し込まれる針金等によってツマミを不正に回転させようとすると、ツマミ３０とサムターン軸１２との係合が解除され、解錠操作ができなくなる。すなわち、いわゆるサムターン回しによる不正解錠を防止することができる。以下、具体的に説明する。
【００３０】
図５は、図２の状態からツマミ３０とサムターン軸１２との係合が解除された状態を示す縦断側面図である。
ツマミ３０とサムターン軸１２とは着脱可能であるので、針金等によりツマミ３０に周方向以外の力、例えば上下方向あるいは左右方向に押す力がかかった場合、図５に示すように、ツマミ３０は下方へ傾倒したり、左右に傾倒したりする。
【００３１】
つまり、ツマミ３０に周方向以外の力が付加された場合、連結部３３の一対の凸部３５，３５の先端部間距離が、取付座２０の凹部２１の内径より短いので、ツマミ３０は傾倒し、ツマミ３０とサムターン軸１２との係合が解除される。ツマミ３０が傾倒して、ツマミ３０とサムターン軸１２との係合が解除された状態においてツマミ３０に力を付加しても、ツマミ３０は、空転したり、サムターン軸１２に十分に力が伝達されなかったりして、サムターン軸１２を回転させることができず解錠することができない。
このように、本実施例のサムターン装置１０によれば、ツマミ３０が傾倒することでサムターン回しを防止することができる。
【００３２】
ところで、本実施例のサムターン装置１０のツマミ３０とサムターン軸１２には、それぞれ磁石３７，１６が設けられており、各磁石３７，１６は、Ｎ極とＳ極を露出するように配置されている。そして、ツマミ３０とサムターン軸１２とが係合した際には、ツマミ３０の磁石３７のＮ極とＳ極が、サムターン軸１２の磁石１６のＳ極とＮ極に吸着し合うよう、各磁石３７，１６の磁極が互いに対向するよう配置されている。
【００３３】
このような構成により、例えば、ツマミ３０の回転操作中に、誤って周方向以外の力をツマミ３０にかけてしまい、ツマミ３０とサムターン軸１２の係合が解除した場合でも、ツマミ３０から一旦手を放すことで、ツマミ３０とサムターン軸１２とは磁石３７，１６の吸着・反発力により自動的に係合状態に復帰する。すなわち、ツマミ３０の磁石３７のＮ極とＳ極が、サムターン軸１２の磁石１６のＳ極とＮ極に吸着しようとして、ツマミ３０を係合位置に誘導し、ツマミ３０は勝手にサムターン軸１２と係合することになる。よって、操作者は、ツマミ３０とサムターン軸１２との係合が解除してしまった場合でも、係合位置をいちいち探す必要がなく、磁石の吸着・反発力によりツマミ３０とサムターン軸１２とは自動的に係合状態に復帰する。これは、ツマミ３０が、サムターン軸１２から軸方向に離れてしまった場合はもちろんのほか、係合位置から周方向に回転してずれてしまった場合でも磁石の吸着・反発力によりツマミ３０は、自動的にサムターン軸１２と係合状態に復帰する。
【００３４】
このように、本実施例のサムターン装置１０によれば、単に磁石を設けたのではなく、ツマミ３０とサムターン軸１２との係合状態において、各磁石のＮ極とＳ極とが吸着し合うように、各磁石のＮ極とＳ極とを互いに対向するように配置することで、ツマミ３０とサムターン軸１２との係合を誘導し、自動的に係合状態に復帰することが可能とされている。
【００３５】
本実施例では、連結部３３の一対の凸部３５，３５の先端部間距離は、カバー４０の穴４１ａの径より大きいので、ツマミ３０は取付座２０から脱落することがない。すなわち、ツマミ３０を取付座２０から引き出そうとしても、連結部３３の凸部３５がカバー４０の内面に当接して引っ掛かることで、ツマミ３０は取付座２０から脱落することがない。
【００３６】
このように、本実施例のサムターン装置１０によれば、針金等によるサムターン回しをしようとした場合には、ツマミ３０が傾倒することで、不正解錠を防止することでき、且つ、操作者が操作中にツマミ３０とサムターン軸１２の係合を解除してしまった場合には、磁石の吸着・反発力により自動的に係合状態へ復帰するので係合箇所を探す手間がかからない。また、ツマミ３０は、取付座２０から取り外されたり、脱落したりすることがないので、ツマミ３０を紛失することがなく、火災等の緊急時にも即対応できるので安全である。
【実施例２】
【００３７】
次に、上記実施例と同様に、ツマミとサムターン軸との係脱が可能であることにより、サムターン回しを防止可能なサムターン装置の別の実施例について説明する。
図６は、本発明のサムターン装置１０の実施例２を示す縦断側面図である。
【００３８】
本実施例のサムターン装置１０は、デッドボルト３の出没操作機構に先端部が接続されるサムターン軸６０と、このサムターン軸６０を回転自在に軸受する取付座７０と、サムターン軸６０の基端部に設けられ、サムターン軸６０を回転させるためのツマミ８０とを主要部として備える。
【００３９】
図７は、サムターン軸６０を示す部品図であり、（ａ）は正面図、（ｂ）は右側面図であり、（ｃ）はＡ―Ａ断面図である。
サムターン軸６０は、丸棒状であり、基端部は若干縮径して縮径部６１が形成されている。また、サムターン軸６０の軸方向中央部には、径方向外側へ拡径してフランジ６２が形成されている。このフランジ６２の基端面には、その径方向両端部に、基端側に開口する凹溝６３，６３が径方向に沿って形成されている。すなわち、フランジ６２の基端面には、中心を挟んだ対称位置に、凹溝６３，６３がそれぞれ形成されている。
【００４０】
また、サムターン軸６０の縮径部６１より若干先端側には、断面四角形状の穴６４が径方向に沿って貫通して形成されている。この穴６４には、直方体形状の磁石６５がはめ込まれる。磁石６５は、穴６４の一方の開口部にＮ極を向け、他方の開口部にＳ極を向けた状態で配置される。なお、磁石６５の長さは、穴６４の長さより若干短い。
サムターン軸６０の先端部６６は、上記実施例と同様に断面十字形状に形成されている。そして、フランジ６２から少し先端側位置には、リング９０がはめ込まれるリング取付溝６７が周方向に形成されている。
【００４１】
サムターン軸６０を回転可能に保持する取付座７０は、先端側に開口した筒形状とされる。取付座７０の基端面中央は、先端側へ筒状に凹んで基端部側に開口する凹部７１が形成されている。そして、この筒状凹部７１の底壁７２の中央には、サムターン軸６０が通される穴７２ａが軸方向に沿って形成されている。なお、凹部７１の内径は、サムターン軸６０のフランジ６２の外径に対応している。また、前記穴７２ａは、フランジ６２より小径である。
【００４２】
取付座７０には、カバー７５が被せられる。カバー７５は、先端側に開口した筒形状とされ、取付座７０にはめ込み可能に取付座７０の外形より一まわり大きく形成されている。カバー７５の基端面７６の中央には、取付座７０の凹部７１と同径の穴７６ａが貫通して形成されている。
【００４３】
図８は、ツマミ８０を示す部品図であり、（ａ）は正面図、（ｂ）は右側面図であり断面にして示しており、（ｃ）は背面図である。
サムターン軸６０の基端部に設けられるツマミ８０は、回転操作される際に摘まれる操作部８１と、サムターン軸６０のフランジ６２に形成された凹溝６３に係合可能な係合部８２が一体的に形成されている。
【００４４】
操作部８１の形状は特に問わないが、本実施例では、上記実施例と同様、縦断面略菱形の板状である。そして、操作部８１の先端面中央部には、中心を挟んだ対称位置に、先端側へ突出して断面略矩形状の一対の係合部８２，８２が形成されている。この一対の係合部８２，８２は、取付座７０の凹部７１内に差し込み可能であると共に、サムターン軸６０に形成された凹溝６３，６３に差し込み可能とされる。
【００４５】
ツマミ８０には、操作部８１の先端面中央から基端面中央にかけて円形の差込穴８３が貫通して形成されている。この差込穴８３の径は、サムターン軸６０の外径に対応している。また、この差込穴８３の基端部は、径方向内側へ環状に突出して突出部８４が形成されている。この突出部８４の内径は、サムターン軸６０の縮径部６１の径に対応している。
【００４６】
さらに、ツマミ８０には、前記差込穴８３に直交するように、差込穴８３を挟んだ二箇所に略矩形状の穴８５，８５がそれぞれ形成されている。
この各穴８５，８５には、直方体形状の磁石８６，８７がそれぞれはめ込まれる。一方の穴８５には、Ｎ極を差込穴８３に向けた状態で磁石８６がはめ込まれ、他方の穴８５には、Ｓ極を差込穴８３に向けた状態で磁石８７がはめ込まれる。
【００４７】
図６に示すように、サムターン軸６０は、その先端部６６が取付座７０の凹部７１からその底壁７２の穴７２ａに差し込まれて、リング取付溝６７にリング９０がはめ込まれ、フランジ６２とリング９０とで凹部７１の底壁７２を挟み込む。これにより、サムターン軸６０は、その軸方向の移動が規制された状態で、取付座７０に回転可能に保持される。
【００４８】
そして、サムターン軸６０の縮径部６１にコイルバネ９２が通された状態で、サムターン軸６０にツマミ８０の差込穴８３が通されて、サムターン軸６０にツマミ８０が取り付けられる。この取付状態では、ツマミ８０は、サムターン軸６０に対して、軸方向に移動可能であると共に、周方向に回転可能とされる。
サムターン軸６０にツマミ８０が設けられた状態で、サムターン軸６０の基端部に軸方向に沿って形成されたネジ穴６１ａにネジ９４がねじ込まれる。このネジ９４の頭部の外径は、サムターン軸６０の縮径部６１の外径およびツマミ８０の突出部８４の内径より大径とされる一方、ツマミ８０の差込穴８３の内径より小径とされる。このネジ９４がサムターン軸６０の基端部にねじ込まれることで、ツマミ８０の突出部８４がネジ９４の頭部に当接し、ツマミ８０がサムターン軸６０から抜け落ちることがない。
【００４９】
サムターン軸６０の縮径部６１に通されたコイルバネ９２は、その基端部がツマミ８０の突出部８４に当接し、先端部がサムターン軸６０の段付部６０ａに当接しており、ツマミ８０を基端側（室内側）へ付勢している。そのため、ツマミ８０に力を付加していない状態では、図６に示すように、ツマミ８０の係合部８２，８２と、サムターン軸６０の凹溝６３，６３とは係合していない。また、ツマミ８０が基端側へ付勢された状態では、ツマミ８０およびサムターン軸６０に設けられた各磁石８６，８７，６５は、一直線上に配置され、各磁石８６，８７，６５間には若干の隙間が形成されている。
このように構成される本実施例のサムターン装置１０は、上記実施例と同様にして、扉１００の室内側面に取り付けられる。
【００５０】
本実施例のサムターン装置１０において、ツマミ８０を回転操作して施解錠するには、まず図９に示すように、ツマミ８０を先端側（室外側）へコイルバネ９２の付勢力に対抗して押し込む。そして、ツマミ８０の係合部８２，８２をサムターン軸６０の凹溝６３，６３に差し込んでツマミ８０とサムターン軸６０とを係合させた状態でツマミ８０を回転させればよい。
【００５１】
そして、施解錠操作後は、ツマミ８０から手を放せばツマミ８０はコイルバネ９２の付勢力により再び基端側へ押し戻され、ツマミ８０とサムターン軸６０との係合が自動的に解除される。
【００５２】
このような構成の本実施例のサムターン装置１０において、例えば室外側から針金等でツマミ８０を回転させて不正解錠しようとしても、通常時、ツマミ８０とサムターン軸６０とは係合していないので、ツマミ８０は単に空転するだけであり、サムターン軸６０を回転させることはできず解錠することができない。
このように、本実施例のサムターン装置１０も、いわゆるサムターン回しを防止することが可能である。
【００５３】
ところで、本実施例のサムターン装置１０は、ツマミ８０とサムターン軸６０とに磁石８６，８７，６５がそれぞれ設けられている。これにより、ツマミ８０に力を付加していない通常時において、ツマミ８０はサムターン軸６０に対して周方向の位置決めがなされる。
つまり、通常時は、ツマミ８０に設けられた一方の磁石８６のＮ極と、他方の磁石８７のＳ極が、サムターン軸６０に設けられた磁石６５のＮ極およびＳ極と吸着し合い、図６および図１０（ａ）に示すようにツマミ８０の周方向の位置決めがなされる。また、例えば、通常時において、図１０（ａ）の状態から図１０（ｂ）の状態にツマミ８０が周方向に回転した場合でも、ツマミ８０とサムターン軸６０に設けた各磁石８６，８７，６５の吸着・反発力により、ツマミは自動的に図１０（ａ）の状態に戻る。
【００５４】
そして、この周方向に位置決めされた状態では、ツマミ８０の係合部８２，８２とサムターン軸６０の凹溝６３，６３との係合位置が対応しており、そのままツマミ８０を先端側へ押し込めばツマミ８０とサムターン軸６０とは係合する。すなわち、磁石８６，８７，６５によりサムターン軸６０に対して決められるツマミ８０の周方向位置と、サムターン軸６０とツマミ８０との係合位置とは一致している。
【００５５】
磁石を設けず、単にサムターン軸６０にツマミ８０を差し込んだ場合、ツマミ８０はサムターン軸６０に対して自由に回転することができ、操作者が施解錠する際に、ツマミ８０とサムターン軸６０との係合箇所をいちいち探す必要がある。
しかし、本実施例のように磁石８６，８７，６５を設けることで、ツマミ８０はサムターン軸６０に対して自動的に周方向の位置決めがなされ、この状態においてツマミ８０を押し込むだけでツマミ８０とサムターン軸６０とを係合させることができ、係合箇所を探す手間がかからない。なお、本実施例では、ツマミ８０に磁石８６，８７を２つ設けたが、１つにしても構わない。
【００５６】
このように、本実施例のサムターン装置は、いわゆるサムターン回しを防止できるだけでなく、係合が解除されているツマミは、磁石の磁着力によって自動的にサムターン軸との係合箇所に周方向の位置決めがなされるので、通常の操作が著しく便利となるものである。
【００５７】
ところで、上記実施例２では、サムターン軸６０に対するツマミ８０の周方向位置決め手段として磁石を使用したが、他の手段としても構わない。
例えば、実施例２の変形例として、磁石の代わりにピン部材を使用することも可能である。以下に、その具体的構成を示す。
【００５８】
図１１は、本発明のサムターン装置１０の実施例２の変形例を示す縦断側面図である。
本変形例のサムターン装置１０は、実施例２と同様、デッドボルト３の出没操作機構に先端部が接続されるサムターン軸６０と、このサムターン軸６０を回転自在に軸受する取付座７０と、サムターン軸６０の基端部に設けられ、サムターン軸６０を回転させるためのツマミ８０とを主要部として備える。
【００５９】
本変形例のサムターン軸６０は、実施例２と同様、丸棒状であり、基端部は若干縮径して縮径部６１が形成されている。また、サムターン軸６０の軸方向中央部には、径方向外側へ拡径してフランジ６２が形成されている。このフランジ６２の基端面には、その径方向両端部に、基端側に開口する凹溝６３，６３が径方向に沿って形成されている。すなわち、フランジ６２の基端面には、中心を挟んだ対称位置に、凹溝６３，６３がそれぞれ形成されている。
【００６０】
そして、本変形例のサムターン軸６０には、その縮径部６１より若干先端側の周側面に凹部１０２が形成されており、本変形例では周側面に２ヶ所形成されている。具体的には、本変形例では、サムターン軸６０の径方向両端部に凹部１０２，１０２がそれぞれ形成されており、凹部１０２，１０２は円錐状に形成されている。
なお、上記実施例２と同様、サムターン軸６０の先端部６６は、断面十字形状に形成されている。そして、フランジ６２から少し先端側位置には、リング９０がはめ込まれるリング取付溝６７が周方向に形成されている。
【００６１】
サムターン軸６０の基端部に設けられるツマミ８０は、上記実施例２と同様の形状である。すなわち、回転操作される際に摘まれる操作部８１と、サムターン軸６０のフランジ６２に形成された凹溝６３に係合可能な係合部８２が一体的に形成されている。
【００６２】
操作部８１の形状は特に問わないが、本変形例では、上記実施例２と同様、縦断面略菱形の板状である。そして、操作部８１の先端面中央には、中心を挟んだ対称位置に、先端側へ突出して断面略矩形状の一対の係合部８２，８２が形成されている。この一対の係合部８２，８２は、取付座７０の凹部７１内に差し込み可能であると共に、サムターン軸６０に形成された凹溝６３，６３に差し込み可能とされる。
【００６３】
ツマミ８０には、操作部８１の先端面中央から基端面中央にかけて円形の差込穴８３が貫通して形成されている。この差込穴８３の径は、サムターン軸６０の外径に対応している。また、この差込穴８３の基端部は、径方向内側へ環状に突出して突出部８４が形成されている。この突出部８４の内径は、サムターン軸６０の縮径部６１の径に対応している。
【００６４】
本変形例のツマミ８０には、前記差込穴８３に直交するように、差込穴８３を挟んだ２ヵ所に収容穴１０４，１０４が差込穴８３側にのみ開口してそれぞれ形成されている。
本変形例では、この収容穴１０４，１０４は断面円形の丸穴とされ、各収容穴１０４，１０４には、ピン部材１０６，１０６が差込穴８３側へ付勢された状態でそれぞれ収容される。
【００６５】
本変形例のピン部材１０６は、短円柱形状とされ、その先端部１０６ａは、サムターン軸６０の凹部１０２と係合可能な円錐状に形成されている。ピン部材１０６の基端部には、コイルバネ１０８の一端部が接続または当接され、このコイルバネ１０８の他端部は収容穴１０４の底部に接続または当接されている。これにより、ピン部材１０６はコイルバネ１０８により差込穴８３側へ付勢された状態で、収容穴１０４に配置される。
【００６６】
本変形例においても上記実施例２と同様、図１１に示すように、サムターン軸６０は、その先端部６６が取付座７０の凹部７１からその底壁７２の穴７２ａに差し込まれて、リング取付溝６７にリング９０がはめ込まれ、フランジ６２とリング９０とで凹部７１の底壁７２を挟み込む。これにより、サムターン軸６０は、その軸方向の移動が規制された状態で、取付座７０に回転可能に保持される。
なお、本変形例の取付座７０は、実施例２の取付座７０と同様に形成されており、カバー７５が被せられる。
【００６７】
サムターン軸６０の縮径部６１にコイルバネ９２が通された状態で、サムターン軸６０にツマミ８０の差込穴８３が通されて、サムターン軸６０にツマミ８０が取り付けられる。この取付状態では、ツマミ８０は、軸方向への操作によりサムターン軸６０に対して軸方向に移動可能であると共に、周方向への回転操作により周方向に回転可能とされる。
【００６８】
そして、サムターン軸６０にツマミ８０が設けられた状態で、サムターン軸６０の基端部に軸方向に沿って形成されたネジ穴６１ａにネジ９４がねじ込まれる。このネジ９４の頭部の外径は、サムターン軸６０の縮径部６１の外径およびツマミ８０の突出部８４の内径より大径とされる一方、ツマミ８０の差込穴８３の内径より小径とされる。このネジ９４がサムターン軸６０の基端部にねじ込まれることで、ツマミ８０の突出部８４がネジ９４の頭部に当接し、ツマミ８０がサムターン軸６０から抜け落ちることがない。
【００６９】
サムターン軸６０の縮径部６１に通されたコイルバネ９２は、その基端部がツマミ８０の突出部８４に当接し、先端部がサムターン軸６０の段付部６０ａに当接しており、ツマミ８０を基端側（室内側）へ付勢している。そのため、ツマミ８０に力を付加していない状態では、図１１に示すように、ツマミ８０の係合部８２，８２と、サムターン軸６０の凹溝６３，６３とは係合していない。
また、ツマミ８０が基端側へ付勢された状態（初期状態）では、ツマミ８０に設けられたピン部材１０６およびサムターン軸６０に形成された凹部１０２は、一直線上に配置され、ピン部材１０６の先端部１０６ａは、サムターン軸６０の凹部１０２に差し込まれている。すなわち、ピン部材１０６の先端部１０６ａは、サムターン軸６０の凹部１０２と係合している。
【００７０】
そして、ピン部材１０６がサムターン軸６０の凹部１０２と係合していることで、ツマミ８０はサムターン軸６０に対して周方向の位置決めがなされる。本変形例では、図１２（ａ）に示すように、解錠状態ではツマミ８０は縦向き状態とされる一方、図１２（ｂ）に示すように、施錠状態ではツマミ８０は横向き状態となるように取り付けられている。このように、ピン部材１０６がサムターン軸６０の凹部１０２に差し込まれ係合した状態では、施錠状態か解錠状態であるかを正しく視認することが可能となる。
【００７１】
また、ピン部材１０６がサムターン軸６０の凹部１０２に係合し、ツマミ８０の周方向の位置決めがなされた状態では、ツマミ８０の係合部８２，８２とサムターン軸６０の凹溝６３との係合位置が対応しており、後述するように、そのままツマミ８０を先端側へ押し込めばツマミ８０とサムターン軸６０とは係合する。すなわち、ピン部材１０６がサムターン軸６０の凹部１０２に係合して決められるサムターン軸６０に対するツマミ８０の周方向位置と、サムターン軸６０とツマミ８０との係合位置とは一致している。このように、図１２に示す解錠状態および施錠状態において、ツマミ８０を先端側に押し込んだ場合、自動的にツマミ８０の係合部８２，８２がサムターン軸６０の凹溝６３に係合する。
このような構成の本変形例のサムターン装置１０は、上記実施例２と同様にして、扉１００の室内側面に取り付けられる。
【００７２】
本変形例のサムターン装置１０において、ツマミ８０を回転操作して施解錠するには、まず図１３に示すように、ツマミ８０を先端側（室外側）へコイルバネ９２の付勢力に対抗して押し込めばよい。この際、ピン部材１０６は、サムターン軸６０の凹部１０２を乗り上げながら、すなわちコイルバネ１０８の付勢力に対抗して収容穴１０４の底壁側へ押し込まれながらツマミ８０の移動に伴ってサムターン軸６０の先端側へ移動する。ツマミ８０を先端側へ押し込むことで、ツマミ８０の係合部８２，８２がサムターン軸６０の凹溝６３，６３に差し込まれ、このツマミ８０とサムターン軸６０との係合状態においてツマミ８０を回転操作することでサムターン軸６０も回転し、施解錠することができる。
【００７３】
そして、施解錠操作後は、ツマミ８０から手を放せばツマミ８０はコイルバネ９２の付勢力により再び基端側へ押し戻され、ツマミ８０とサムターン軸６０との係合が自動的に解除される。ツマミ８０が押し戻された際、ピン部材１０６の先端部１０６ａはコイルバネ１０８の付勢力により、サムターン軸６０の凹部１０２に係合して初期状態に戻る。
【００７４】
このような構成の本変形例のサムターン装置１０において、例えば室外側から針金等でツマミ８０を回転させて不正解錠しようとしても、通常時、ツマミ８０とサムターン軸６０とは係合していないので、ツマミ８０はサムターン軸に対して単に空転するだけであり、サムターン軸６０を回転させることはできず解錠することができない。
【００７５】
つまり、ツマミ８０を先端側に押し込まずに回転させようとした場合、図１４に示すように、ツマミ８０の周方向移動に伴ってピン部材１０６は、サムターン軸６０の凹部１０２を乗り上げて、すなわち、コイルバネ１０８の付勢力に対抗して収容穴１０４の底壁側へ押し込まれながらサムターン軸６０に対して周方向に移動する。この際、ツマミ６０の係合部８２，８２とサムターン軸６０の凹溝６３とが係合していないことで、ツマミ８０は単にサムターン軸６０に対して空転するだけで、サムターン軸６０を回転させることはできず解錠することができない。
このように、本実施例のサムターン装置１０も、いわゆるサムターン回しを防止することが可能である。
【００７６】
なお、サムターン回しなどにより図１４の状態のように、ツマミ８０がサムターン軸６０に対して回転し、ピン部材１０６が凹部１０２から脱け出している場合には、ピン部材１０６がサムターン軸６０の凹部１０２に係合されるまでツマミ８０を手で回転させてやれば初期状態に戻すことができる。
【００７７】
ところで、外出時など、室外側から鍵により施解錠する場合、鍵の回転操作により、サムターン軸６０が回転する。この際、ピン部材１０６がサムターン軸６０の凹部１０２に差し込まれていることで、サムターン軸６０の回転に伴ってツマミ８０も回転する。このように、ツマミ８０はサムターン軸６０の回転に伴って一体的に回転するので、室外側から鍵により操作した場合でも室内側からツマミ８０の向きを確認することで施錠状態か解錠状態であるかを視認できることにかわりない。
【００７８】
本変形例では、ツマミ８０側にピン部材１０６を配置し、サムターン軸６０側に凹部１０２を形成する構成としたが、ツマミ８０側に凹部を形成し、サムターン軸６０側に径方向外側へピン部材を付勢する構成としても構わない。
【００７９】
また、本変形例では、ピン部材１０６を短円柱形状としたが、その形状は特に問わず、ブロック形状などであってもよい。さらに、ピン部材１０６の先端部１０６ａおよびその先端部１０６ａが差し込まれる凹部１０２をそれぞれ円錐形状としたが、半球形状などであってもよく、その形状は特に問わず適宜変更可能である。また、本変形例では、ピン部材をサムターン軸の径方向に沿って付勢する構成としたが、ピン部材をサムターン軸の軸方向に付勢して本変形例と同様の構成とすることも可能である。
加えて、上記実施例２および本変形例では、周方向位置決め手段として、磁石やピン部材を使用する構成について説明したが、サムターン軸に対してツマミが周方向に位置決めされる機構であるなら他の構成とすることも可能である。
【００８０】
なお、本発明のサムターン装置は、上記実施例の構成に限らず、適宜変更可能である。例えば、上記各実施例では、ツマミ側に係合部（凸部）、サムターン軸側に被係合部（凹溝）を形成したが、逆にしても構わない。加えて、ツマミとサムターン軸とが係合可能であれば、ツマミおよびサムターン軸に形成される係合部又は被係合部の形状は特に問わない。
【図面の簡単な説明】
【００８１】
【図１】本発明のサムターン装置を備えた扉錠の平面図である。
【図２】本発明のサムターン装置の実施例１の縦断側面図である。
【図３】図２のサムターン装置のサムターン軸を示す部品図であり、（ａ）は正面図、（ｂ）は右側面図であり一部を断面にして示している。
【図４】図２のサムターン装置のツマミを示す部品図であり、（ａ）は正面図、（ｂ）は右側面図であり断面にして示しており、（ｃ）は背面図である。
【図５】図２の状態からツマミとサムターン軸の係合が解除された状態を示す縦断側面図である。
【図６】本発明のサムターン装置の実施例２を示す縦断側面図である。
【図７】図６のサムターン装置のサムターン軸を示す部品図であり、（ａ）は正面図、（ｂ）は右側面図であり一部を断面にして示しており、（ｃ）はＡ―Ａ断面図である。
【図８】図６のサムターン装置のツマミを示す部品図であり、（ａ）は正面図、（ｂ）は右側面図であり断面にして示しており、（ｃ）は背面図である。
【図９】図６の状態からツマミとサムターン軸とを係合させた状態を示す縦断側面図である。
【図１０】図６のサムターン装置のツマミの復帰動作を示す概略説明図である。
【図１１】図６のサムターン装置の変形例を示す縦断側面図である。
【図１２】図１１のサムターン装置のツマミの周方向位置決め状態を示す概略断面図であり、（ａ）は解錠状態を示しており、（ｂ）は施錠状態を示している。
【図１３】図１１の状態からツマミとサムターン軸とを係合させた状態を示す縦断側面図である。
【図１４】図１２（ｂ）の施錠状態から不正解錠しようとした状態を示す概略断面図である。
【符号の説明】
【００８２】
１  扉錠
３  デッドボルト
１０  サムターン装置
１２  サムターン軸
１５  凹溝
１６  磁石
２０  取付座
２１  凹部
２２  底壁
３０  ツマミ
３３  連結部
３５  凸部
３７  磁石
４０  カバー
４１ａ  穴
５０  シリンダー錠
６０  サムターン軸
６３  凹溝
６５  磁石
７０  取付座
８０  ツマミ
８２  係合部
８３  差込穴
８４  突出部
８５  穴
８６，８７  磁石
９２  コイルバネ
１００  扉
１０２  凹部
１０４  収容穴
１０６  ピン部材
１０８  コイルバネ
【図１】
2006046052.tif 000003
【図２】
2006046052.tif 000004
【図３】
2006046052.tif 000005
【図４】
2006046052.tif 000006
【図５】
2006046052.tif 000007
【図６】
2006046052.tif 000008
【図７】
2006046052.tif 000009
【図８】
2006046052.tif 000010
【図９】
2006046052.tif 000011
【図１０】
2006046052.tif 000012
【図１１】
2006046052.tif 000013
【図１２】
2006046052.tif 000014
【図１３】
2006046052.tif 000015
【図１４】
2006046052.tif 000016